(57)【要約】      （修正有）【課題】所定の速度差で各子弾を放出することができると共に、構造の簡略化及び信頼性の向上を実現することができるロケット搭載子弾放出装置を提供する。【解決手段】ロケットＲに搭載した複数の子弾Ｓを放出する装置であって、ロケットＲの機軸方向に沿って配置した燃焼器２と、燃焼器２内に設けた子弾放出用火薬３及び同火薬の点火器４と、ロケットＲの機軸方向に配列した複数の子弾収容室５を備えると共に、燃焼器２内と各子弾収容室５とを夫々のガス噴射孔６を介して連通状態にし、各子弾収容室５毎にガス噴射孔６の総開口面積を異ならせたことにより、極めて簡単な構造で複数の子弾を所定の速度差で放出することができ、構造の大幅な簡略化及び作動の信頼性のさらなる向上を実現した。【選択図】図１
2009299948.tif 000002
【特許請求の範囲】
【請求項１】
ロケットに搭載した複数の子弾を放出する装置であって、ロケットの機軸方向に沿って配置した燃焼器と、燃焼器内に設けた子弾放出用火薬及び同火薬の点火器と、ロケットの機軸方向に配列した複数の子弾収容室を備えると共に、燃焼器内と各子弾収容室とを夫々のガス噴射孔を介して連通状態にし、各子弾収容室毎にガス噴射孔の総開口面積を異ならせたことを特徴とするロケット搭載子弾放出装置。
【請求項２】
各子弾収容室毎に、ガス噴射孔の開口面積及び個数の少なくとも一方を変えて総開口面積を異ならせたことを特徴とする請求項１に記載のロケット搭載子弾放出装置。
【請求項３】
燃焼器が、ロケットの機軸上に配置してあると共に、子弾収容室が、ロケットの機軸方向及び円周方向に配列してあることを特徴とする請求項１又は２に記載のロケット搭載子弾放出装置。
【請求項４】
各子弾収容室毎のガス噴射孔の総開口面積が、ロケット機軸方向に順に変化していることを特徴とする請求項１〜３のいずれか１項に記載のロケット搭載子弾放出装置。
【発明の詳細な説明】
【技術分野】
【０００１】
本発明は、ロケットに搭載した複数の子弾を目的地に散布するのに利用されるロケット搭載子弾放出装置に関するものである。
【背景技術】
【０００２】
複数の子弾を搭載したロケットにおいて、複数の子弾を目的地に効果的に散布するには、子弾をロケットの円周上に配置して遠心方向に放出することが有効であり、放出に際して速度差や時間差を設けることがより一層有効である。
【０００３】
従来のロケット搭載子弾放出装置としては、機軸上に直列配置した複数段の燃焼器と、各燃焼器の端部に夫々配置した放出用火薬及びその点火器を備えたものがある。各燃焼器は、その周囲に、複数の子弾を収容したコンテナが配置してあると共に、各コンテナ内部と連通するガス噴射孔を備えている。
【０００４】
上記のロケット搭載子弾放出装置は、点火器により放出用火薬に点火し、その燃焼ガスをガス噴射孔から噴射して、同燃焼ガスの圧力で子弾を放出する。また、第１段目の燃焼器から順に放出用火薬の量を段階的に多くすることにより、各子弾の放出に速度差を設けることができ、さらに、各点火器の点火タイミングを変えることにより、各子弾の放出に時間差を設けることができる。
【０００５】
また、他のロケット搭載子弾放出装置としては、特許文献１に記載されているように、上記装置と同様の燃焼器や子弾のコンテナを備えると共に、各燃焼器の放出用火薬を順次燃焼させる延時点火機構を設けて、所定の時間差で子弾を放出するものがあった。
【特許文献１】英国特許第１４３４０３４号
【発明の開示】
【発明が解決しようとする課題】
【０００６】
しかしながら、従来のロケット搭載子弾放出装置では、子弾の放出に速度差を設けるには、各燃焼器に異なる量の放出用火薬を装填して個別に点火する構造にし、また、子弾の放出に時間差を設けるには、各燃焼器に放出用火薬を装填して個別に点火するか、各燃焼器の放出用火薬を延時点火機構によって順次燃焼させる構造にしていたため、いずれの場合も構造が複雑になり易く、構造の簡略化や作動の信頼性をより高めるうえでの改善が要望されていた。
【０００７】
本発明は、上記従来の状況に鑑みてなされたもので、所定の速度差で各子弾を放出することができると共に、構造の簡略化及び信頼性の向上を実現することができるロケット搭載子弾放出装置を提供することを目的としている。
【課題を解決するための手段】
【０００８】
本発明のロケット搭載子弾放出装置は、ロケットに搭載した複数の子弾を放出する装置であって、ロケットの機軸方向に沿って配置した燃焼器と、燃焼器内に設けた子弾放出用火薬及び同火薬の点火器と、ロケットの機軸方向に配列した複数の子弾収容室を備えると共に、燃焼器内と各子弾収容室とを夫々のガス噴射孔を介して連通状態にし、各子弾収容室毎にガス噴射孔の総開口面積を異ならせた構成としており、上記構成をもって課題を解決するための手段としている。
【発明の効果】
【０００９】
本発明のロケット搭載子弾放出装置によれば、一つの点火系及び一つの燃焼器を備えた極めて簡単な構造で複数の子弾を所定の速度差で放出することができ、構造の大幅な簡略化及び作動の信頼性のさらなる向上を実現することができる。
【発明を実施するための最良の形態】
【００１０】
以下、図面に基づいて、本発明のロケット搭載子弾放出装置の一実施形態を説明する。
図１に示すロケット搭載子弾放出装置１は、ロケットＲに搭載した複数の子弾Ｓを放出するものであって、基本構成として、ロケットＲの機軸方向に沿って配置した燃焼器２と、燃焼器２内に設けた子弾放出用火薬３及び同火薬の点火器４と、ロケットＲの機軸方向に配列した複数の子弾収容室５を備えている。
【００１１】
この実施形態の燃焼器２は、細長い円筒状を成しており、ロケットＲの機軸Ｌ上に配置してあり、図１中左側であるロケット頭部側の内部に、子弾放出用火薬３及び点火器４が設けてある。
【００１２】
また、燃焼器２の周囲には、同燃焼器２を中心とする扁平円筒状の三基のコンテナＣが配置してある。コンテナＣは、円周方向に複数の子弾収容室５を有しており、ロケットＲの機軸方向に並列配置してある。これにより、子弾収容室５は、ロケットＲの機軸方向及び円周方向に配列され、子弾Ｓを解放可能に収容すると共に、ロケット外周部において開放、又は分離可能な外板等を設けて開放可能にしてある。このように、ロケットＲの機軸方向及び円周方向に複数の子弾Ｓを配列収容することで、より効果的な子弾Ｓの散布が行われる。なお、子弾Ｓは、子弾収容室５において、例えばシアピン等で保持しても良い。
【００１３】
さらに、ロケット搭載子弾放出装置１は、燃焼器２内と各子弾収容室５とが、夫々のガス噴射孔６を介して連通状態になっていると共に、機軸方向に配列した各子弾収容室５毎にガス噴射孔６の総開口面積を異ならせたものとなっている。
【００１４】
この実施形態では、各子弾収容室５毎に二個のガス噴射孔６が設けてあって、機軸方向に配列した各子弾収容室５毎にガス噴射孔６の開口面積を変えて総開口面積を異ならせている。より具体的には、図１中左側である第１段子弾収容室５のガス噴射孔６の直径Ｄ１と、第２段子弾収容室５のガス噴射孔６の直径Ｄ２と、第３段子弾収容室６のガス噴射孔６の直径Ｄ３を夫々異ならせている。
【００１５】
そして、この実施形態では、とくに、上記直径Ｄ１〜Ｄ３の関係をＤ１＜Ｄ２＜Ｄ３にし、各子弾収容室５毎のガス噴射孔６の総開口面積が、ロケット機軸方向に順に変化すなわちロケットＲの頭部側から尾部側へ向けて段階的に増大する構成になっている。
【００１６】
上記構成を備えたロケット搭載子弾放出装置１は、ロケットＲが飛翔して目的地に到達した段階で、点火器４で子弾放出用火薬３に点火する。これにより、子弾放出用火薬３の燃焼ガスが燃焼器２に充満し、各ガス噴射孔６から燃焼ガスが噴射される。子弾Ｓは、この燃焼ガスの圧力により子弾収容室５から押出される。
【００１７】
このとき、ロケット搭載子弾放出装置１は、ロケットＲの機軸方向に配列した各子弾収容室５毎にガス噴射孔６の総開口面積が異なるので、ガス噴射孔６の総開口面積が大きい子弾収容室５ほど燃焼ガスの噴射量が多くなって子弾Ｓの放出速度が大きくなる。
【００１８】
とくに、ロケット搭載子弾放出装置１では、各子弾収容室５毎のガス噴射孔６の総開口面積が、頭部側の第１段目から段階的に増大させてあるので、頭部側から尾部側に向かうほど子弾Ｓの放出速度が大きくなり、その結果、図２に示すように、放出した各子弾Ｓを互いに干渉させることなく効果的に散布することができる。
【００１９】
このように、上記実施形態で説明したロケット搭載子弾放出装置１は、子弾収容室毎のガス噴射孔を有する一つの燃焼器２と、子弾放出用火薬３及び点火器４から成る一つの点火系を備えた極めて簡単な構造でありながら、複数の子弾を所定の速度差で放出して、子弾Ｓの効果的な散布を実現するうえに、構造の大幅な簡略化及び作動の信頼性のさらなる向上を実現するものとなる。
【００２０】
図３は本発明のロケット搭載子弾放出装置の他の実施形態を説明する図である。なお、先の実施形態と同一の構成部位は、同一符号を付して詳細な説明を省略する。
【００２１】
図示のロケット搭載子弾放出装置１１は、先の実施形態では、機軸方向に配列した子弾収容室５毎にガス噴射孔６の開口面積（直径）を変えて、同ガス噴射孔６の総開口面積を異ならせていたのに対して、この実施形態では、全てのガス噴射孔６の開口面積をほぼ同一とし、機軸方向に配列した子弾収容室５毎にガス噴射孔６の個数を変えて、同ガス噴射孔６の総開口面積を異ならせている。
【００２２】
すなわち、ガス噴射孔６は、第１段目の子弾収容室５では２個、第２段目の子弾収容室５では３個、第３段目の子弾収容室５では４個となっている。
【００２３】
上記のロケット搭載子弾放出装置１１にあっても、各子弾収容室５において、頭部側から尾部側に向かうほど燃焼ガスの噴射量が多くなって子弾Ｓの放出速度が大きくなり、図２に示すように、放出した各子弾Ｓを互いに干渉させることなく効果的に散布することができ、先の実施形態と同様の効果を得ることができる。
【００２４】
本発明に係わるロケット搭載子弾放出装置は、詳細な構成が上記実施形態に限定されるものではなく、例えば、機軸方向に配列した子弾収容室毎のガス噴射孔６の開口面積を異ならせるために、ガス噴射孔の個々の開口面積及び個数の両方を変えても良い。
【図面の簡単な説明】
【００２５】
【図１】本発明のロケット搭載子弾放出装置の一実施形態を説明する要部の断面図である。
【図２】ロケットから子弾を放出する状態を示す説明図である。
【図３】本発明のロケット搭載子弾放出装置の他の実施形態を説明する要部の断面図である。
【符号の説明】
【００２６】
Ｒ        ロケット
Ｓ        子弾
１  １１  ロケット搭載子弾放出装置
２        燃焼器
３        子弾放出用火薬
４        点火器
５        子弾収容室
６        ガス噴射孔
【図１】
2009299948.tif 000003
【図２】
2009299948.tif 000004
【図３】
2009299948.tif 000005